(57)【要約】      （修正有）【課題】暗証番号忘れ対応と共に、錠の軸心を取り替える錠前を提供する。【解決手段】暗証番号忘れ対応の錠前は、ケースと、ダイヤル軸２０と、鍵受け軸３０と、番号忘れ対応部材とを有する。その内、ケースの内部に番号軸収容空間１１、鍵軸収容空間、部材収容空間が形成され、ダイヤル軸は、番号軸収容空間に取り付けられ、鍵受け軸は、鍵軸収容空間に取り付けられる。番号忘れ対応部材は、部材収容空間に取り付けられ、そのダイヤル軸、鍵受け軸、番号忘れ対応部材がそれぞれ組立てられることによって、錠前を施錠または解錠することができ、さらに、錠前の暗記番号を忘れる場合に、鍵を鍵受け軸に挿入して回転すると、番号忘れ対応部材によりダイヤル軸の暗証番号を検出することができる。【選択図】図２
0003192005.tif 000002
【実用新案登録請求の範囲】
【請求項１】
第一殻部及び第二殻部からなり、内部に番号軸収容空間及び鍵軸収容空間が形成され、該番号軸収容空間と該鍵軸収容空間との間に部材収容空間が形成され、該部材収容空間と該鍵軸収容空間との間にプレートが設けられ、該第一殻部における番号軸収容空間と対応する箇所に複数の貫通孔が形成され、該第二殻部における番号軸収容空間と対応する箇所に複数の凹部が形成され、上面に該番号軸収容空間と連通する軸穴が形成され、上面に該鍵軸収容空間と貫通する掛け穴が形成され、該第二殻部の壁面にスリットが形成される錠ケースと、
前記錠ケースの番号軸収容空間に取り付けられ、複数の外輪と、複数の内輪と、掛け杖と、ばねとを備え、それらの外輪が第一殻部の貫通孔と対応するように第二殻部の凹部に配置され、それらの内輪がそれぞれ外輪の内部に嵌め込まれ、該掛け杖がそれらの内輪を貫通すると共に、上端が錠ケースの軸穴から突出し、該掛け杖の上端に錠ケースの掛け穴に挿設するための掛け部が延設され、該ばねが掛け杖の底端に当接するように取り付けられ、それらの外輪、内輪、掛け杖を組立てて操作を行うと、施錠または解錠することができ、該内輪の周縁にさらに当たり穴が形成されるダイヤル軸と、
前記錠ケースの鍵軸収容空間に取り付けられ、外周面に凸部が設けられ、上端が錠ケースの掛け穴から突出しながら一側に通過口が形成される鍵受け軸と、
前記錠ケースの部材収容空間に取り付けられ、駆動板と、弾性ユニットと、従動板とを備え、該駆動板におけるダイヤル軸に面する側に第一側面が設けられ、該駆動板における鍵受け軸に面する側に第二側面が設けられ、該第二側面にブロックが凸設され、該弾性ユニットが駆動板とプレートとの間に配置され、該従動板に固定穴が形成され、該従動板の末端に複数の弾性爪が延設され、これらの弾性爪が番号軸収容空間に向かうように内輪の当たり穴と対応する番号忘れ対応部材とを有することを特徴とする暗証番号忘れ対応の錠前。
【請求項２】
前記第一殻部における鍵軸収容空間と対応する箇所に回転溝部が形成され、該第一殻部における回転溝部の中央と対応する箇所に位置決め穴が形成され、
前記鍵受け軸にシャフト及びバネが貫設され、該シャフトの一端が摺動可能に錠ケースの回転溝部に挿し込まれ、該バネの弾力性によって該シャフトを押圧して錠ケースの内周面に当接することを特徴とする請求項１に記載の暗証番号忘れ対応の錠前。
【請求項３】
前記駆動板の第一側面に浅い凹部が凹設され、
前記弾性ユニットが浅い凹部に嵌め込まれることを特徴とする請求項１または２に記載の暗証番号忘れ対応の錠前。
【請求項４】
前記駆動板の縁部に突出部が凸設され、前記従動板に固定穴が形成され、該駆動板の突出部が従動板の固定穴に取り付けられることを特徴とする請求項１乃至３の何れか１項に記載の暗証番号忘れ対応の錠前。
【請求項５】
前記第一殻部及び第二殻部が複数のピン及び挿設穴により互いに組み合わされ、また、それらのピンの一端が錠ケースの壁面に嵌設されることを特徴とする請求項１乃至４の何れか１項に記載の暗証番号忘れ対応の錠前。
【考案の詳細な説明】
【技術分野】
【０００１】
本考案は、特に暗証番号忘れ対応と共に、錠の軸心を取り替えることができる南京錠に関するものである。
【背景技術】
【０００２】
従来のダイヤル式南京錠は、暗証番号によって、施錠または解錠することができるので、自転車や、ロッカー、スーツケースなどを守るために、よく使われる。しかし、従来のダイヤル南京錠を使用する時に、その暗証番号を忘れれば、錠前を壊さなければ解錠できなくなるので、暗証番号を検出することが不可能である。この問題を解決するために、既存の錠前は、暗証番号または鍵によって解錠することができるものが開発され、暗証番号を忘れてもその鍵で解錠することができる。
【考案の概要】
【考案が解決しようとする課題】
【０００３】
しかしながら、既存のダイヤル式錠前は、暗証番号を忘れても鍵で解錠することができるが、その暗証番号を思い出さない場合に、暗証番号によって解錠または施錠することができず、普通の南京錠であり、ダイヤル式錠前の機能を失ってしまう。
【課題を解決するための手段】
【０００４】
上述した問題を解決するために、本考案に係る暗証番号忘れ対応の錠前は、第一殻部及び第二殻部からなり、内部に番号軸収容空間及び鍵軸収容空間が形成され、該番号軸収容空間と該鍵軸収容空間との間に部材収容空間が形成され、該部材収容空間と該鍵軸収容空間との間にプレートが設けられ、該第一殻部における番号軸収容空間と対応する箇所に複数の貫通孔が形成され、該第二殻部における番号軸収容空間と対応する箇所に複数の凹部が形成され、上面に該番号軸収容空間と連通する軸穴が形成され、上面に該鍵軸収容空間と貫通する掛け穴が形成され、該第二殻部の壁面にスリットが形成されるケースと、
前記錠ケースの番号軸収容空間に取り付けられ、複数の外輪と、複数の内輪と、掛け杖と、ばねとを備え、それらの外輪が第一殻部の貫通孔と対応するように第二殻部の凹部に配置され、それらの内輪がそれぞれ外輪の内部に嵌め込まれ、該掛け杖がそれらの内輪を貫通すると共に、上端が錠ケースの軸穴から突出し、該掛け杖の上端に錠ケースの掛け穴に挿設するための掛け部が延設され、該ばねが掛け杖の底端に当接するように取り付けられ、それらの外輪、内輪、掛け杖を組立てて操作を行うと、施錠または解錠することができ、該内輪の周縁にさらに当たり穴が形成されるダイヤル軸と、
前記錠ケースの鍵軸収容空間に取り付けられ、外周面に凸部が設けられ、上端が錠ケースの掛け穴から突出しながら一側に通過口が形成される鍵受け軸と、
前記錠ケースの部材収容空間に取り付けられ、駆動板と、弾性ユニットと、従動板とを備え、該駆動板におけるダイヤル軸に面する側に第一側面が設けられ、該駆動板における鍵受け軸に面する側に第二側面が設けられ、該第二側面にブロックが凸設され、該弾性ユニットが駆動板とプレートとの間に配置され、該従動板に固定穴が形成され、該従動板の末端に複数の弾性爪が延設され、これらの弾性爪が番号軸収容空間に向かうように内輪の当たり穴と対応する番号忘れ対応部材とを有するものを提供する。
【０００５】
かかる暗証番号忘れ対応の錠前において、前記第一殻部における鍵軸収容空間と対応する箇所に回転溝部が形成され、該第一殻部における回転溝部の中央と対応する箇所に位置決め穴が形成され、
前記鍵受け軸にシャフト及びバネが貫設され、該シャフトの一端が摺動可能に錠ケースの回転溝部に挿し込まれ、該バネの弾力性によって該シャフトを押圧して錠ケースの内周面に当接することが好ましい。
【０００６】
かかる暗証番号忘れ対応の錠前において、前記駆動板の第一側面に浅い凹部が凹設され、前記弾性ユニットが浅い凹部に嵌め込まれることが好ましい。
【０００７】
かかる暗証番号忘れ対応の錠前において、前記駆動板の縁部に突出部が凸設され、前記従動板に固定穴が形成され、該駆動板の突出部が従動板の固定穴に取り付けられることが好ましい。
【０００８】
かかる暗証番号忘れ対応の錠前において、前記第一殻部及び第二殻部が複数のピン及び挿設穴により互いに組み合わせ、また、それらのピンの一端が錠ケースの壁面に嵌設されることが好ましい。
【考案の効果】
【０００９】
本考案に係る暗証番号忘れ対応の錠前は、番号忘れ対応部材を有することから、その暗証番号を忘れても鍵で解錠しながらダイヤル軸の暗証番号を検出することができる。また、鍵受け軸にシャフトを備えることから、そのシャフトが着脱可能に鍵受け軸を固定することから、そのシャフトを取り外すと、鍵受け軸を取り出して新たな鍵受け軸を取り替えることができる。それによれば、鍵をコピーされれば、新たな鍵受け軸を取り替えることができ、施錠されたものが盗難されることを防止する。
【図面の簡単な説明】
【００１０】
【図１】本考案に係る暗証番号忘れ対応の錠前の斜視図である。
【図２】本考案に係る暗証番号忘れ対応の錠前の部分分解斜視図である。
【図３】本考案に係る暗証番号忘れ対応の錠前の分解斜視図である。
【図４】本考案に係る暗証番号忘れ対応の錠前の他の分解斜視図である。
【図５】本考案に係る暗証番号忘れ対応の錠前の一部の斜視図である。
【図６】本考案に係る暗証番号忘れ対応の錠前の他の一部の斜視図である。
【図７】本考案に係る暗証番号忘れ対応の錠前において、暗証番号により解錠した状態を示す斜視図である。
【図８】本考案に係る暗証番号忘れ対応の錠前において、鍵により解錠した状態を示す斜視図である。
【図９】本考案に係る暗証番号忘れ対応の錠前において、第一操作を示す断面図である。
【図１０】本考案に係る暗証番号忘れ対応の錠前において、第二操作を示す断面図である。
【図１１】本考案に係る暗証番号忘れ対応の錠前において、第三操作を示す断面図である。
【図１２】本考案に係る暗証番号忘れ対応の錠前において、第四操作を示す断面図である。
【図１３】本考案に係る暗証番号忘れ対応の錠前において、第五操作を示す断面図である。
【図１４】本考案に係る暗証番号忘れ対応の錠前において、第六操作を示す断面図である。
【図１５】本考案に係る暗証番号忘れ対応の錠前において、鍵受け軸を取り出した状態を示す斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１及び図２に示すように、本考案に係る暗証番号忘れ対応の錠前は、錠ケース１０と、ダイヤル軸２０と、鍵受け軸３０と、番号忘れ対応部材４０とを有する。
【００１３】
図２乃至図４に示すように、前記錠ケース１０は、第一殻部１０１及び第二殻部１０２を備え、その第一殻部１０１及び第二殻部１０２は、複数のピン１０３及び挿設穴１０４により互いに組み合わせ、それらのピン１０３の一端が錠ケース１０の壁面に嵌設され、それらの挿設穴１０４がピン１０３と対応するように錠ケース１０の壁面に凹設され、それらのピン１０３がそれぞれ挿設穴１０４と対応するように挿し込まれると、その第一殻部１０１及び第二殻部１０２を組み合わせて固定することができる。
【００１４】
前記錠ケース１０の内部両側に番号軸収容空間１１及び鍵軸収容空間１２が形成され、該番号軸収容空間１１と鍵軸収容空間１２との間に部材収容空間１３が形成され、該部材収容空間１３と鍵軸収容空間１２との間にプレート１４が設けられ、前記第一殻部１０１における番号軸収容空間１１と対応する箇所に複数の貫通孔１１１が形成され、前記第二殻部１０２における番号軸収容空間１１と対応する箇所に複数の凹部１１２が形成され、それらの貫通孔１１１がそれぞれ凹部１１２と対応する。該第一殻部１０１における鍵軸収容空間１２と対応する箇所に回転溝部１２１が形成され、該第一殻部１０１における回転溝部１２１の中央と対応する箇所に位置決め穴１２２が形成され、該錠ケース１０の上面に番号軸収容空間１１と連通する軸穴１５が形成され、該錠ケース１０の上面に鍵軸収容空間１２と貫通する掛け穴１６が形成され、該第二殻部１０２の壁面にスリット１７が形成される。
【００１５】
前記ダイヤル軸２０は、錠ケース１０の番号軸収容空間１１に取り付けられ、複数の外輪２１と、複数の内輪２２と、掛け杖２３と、ばね２４とを備え、それらの外輪２１は、第一殻部１０１の貫通孔１１１と対応するように第二殻部１０２の凹部１１２に配置され、それらの内輪２２は、それぞれ外輪２１の内部に嵌め込まれ、該掛け杖２３は、それらの内輪２２を貫通すると共に、上端が錠ケース１０の軸穴１５から突出し、該掛け杖２３の上端に錠ケース１０の掛け穴１６に挿設するための掛け部２３１がＵ字形または湾曲状に延設される。該ばね２４は、掛け杖２３の底端に当接するように取り付けられる。上述した外輪２１、内輪２２、掛け杖２３を組立てて操作を行うと、錠前の施錠または解錠することができる。この錠前の施錠または解錠する操作方法は、周知の技術なので、詳細な説明を省略する。本考案における内輪２２の周縁にさらに当たり穴２２１が形成される。
【００１６】
前記鍵受け軸３０は、錠ケース１０の鍵軸収容空間１２に取り付けられ、鍵を鍵受け軸３０に挿入して回転すると、錠前を解錠することができる。この鍵受け軸３０の内部構造も周知の技術なので、ここでの説明を省略する。
【００１７】
さらに、前記鍵受け軸３０の外周面に凸部３１が設けられ、シャフト３２が鍵受け軸３０を貫通するように径方向に取り付けられ、該シャフト３２の一端が摺動可能に錠ケース１０の回転溝部１２１に挿し込まれ、それによれば、その鍵受け軸３０を錠ケース１０から脱出することはない。また、該シャフト３２の一端にバネ３３が取り付けられ、該バネ３３の弾力性によってシャフト３２を押圧して錠ケース１０の内周面に当接させる。該鍵受け軸３０の上端が錠ケース１０の掛け穴１６から突出しながら一側に通過口３４が形成され、該掛け杖２３の掛け部２３１が着脱可能に通過口３４を介して鍵受け軸３０に挿し込まれる。
【００１８】
前記番号忘れ対応部材４０は、錠ケース１０の部材収容空間１３に取り付けられ、駆動板４１と、弾性ユニット４２と、従動板４３とを備え、該駆動板４１におけるダイヤル軸２０に面する側に第一側面４１１が設けられ、該駆動板４１における鍵受け軸３０に面する側に第二側面４１２が設けられ、該第一側面４１１に浅い凹部４１３が凹設され、該第二側面４１２にブロック４１４が凸設され、該駆動板４１の縁部両端にそれぞれ突出部４１５が凸設され、該弾性ユニット４２が浅い凹部４１３に嵌め込まれて駆動板４１とプレート１４との間に配置され、該従動板４３に固定穴４３２が形成され、該駆動板４１の突出部４１５が従動板４３の固定穴４３２に取り付けられ、該従動板４３の末端に複数の弾性爪４３１が延設され、これらの弾性爪４３１が番号軸収容空間１１に向かうように内輪２２の当たり穴２２１と対応する。
【００１９】
使用上において、使用者がダイヤル軸２０により解錠すると（図７の如く）、掛け杖２３の掛け部２３１が鍵受け軸３０の上部及び錠ケース１０の上部から脱出して自由に回動することができる。また、図８に示すように、使用者が鍵受け軸３０により解錠する時、鍵で鍵受け軸３０の通過口３４を錠ケース１０のスリット１７と対応するように回動させると、掛け杖２３の掛け部２３１が通過口３４及びスリット１７を通って脱出することができる。
【００２０】
図９及び図１０に示すように、通常の状態において、鍵受け軸３０の凸部３１が駆動板４１のブロック４１４に当接しないことから、従動板４３の弾性爪４３１が内輪２２と衝突することはなく、内輪２２を自由に回転しても弾性爪４３１が内輪２２の当たり穴２２１に係合することはない。
【００２１】
一方、使用者が錠前の暗記番号を忘れた場合に、図１１に示すように、鍵を鍵受け軸３０に挿入して回転すると、鍵受け軸３０の凸部３１が駆動板４１のブロック４１４に当接すると共に、その駆動板４１が従動板４３をつれてダイヤル軸２０と接近するように移動させ、また、その従動板４３の弾性爪４３１が内輪２２の外周面に押し付ける。そして、使用者が外輪２１を回して内輪２２も連動させ、内輪２２の当たり穴２２１が従動板４３の弾性爪４３１と対応する箇所まで回転すると、その弾性爪４３１が弾性力によって当たり穴２２１に嵌合して内輪２２をストップさせ、この時、使用者が外輪２１及び内輪２２を回しても回転することができなくなり、つまり、その暗証番号を検出する。その後、鍵で錠前を施錠して凸部３１をブロック４１４から離し、駆動板４１が弾性ユニット４２からの弾性力を受けて従動板４３をつれて復位することができる。
【００２２】
また、シャフト３２の一端が回転溝部１２１に挿し込まれることから、通常の状態において、鍵受け軸３０が錠ケース１０から取り外すことができない。図１３乃至図１５に示すように、使用者が鍵受け軸３０を取り替える時には、鍵を鍵受け軸３０に挿入して回転し、そのシャフト３２がバネ３３の弾性力によって位置決め穴１２２に嵌合すると、使用者が道具５０を位置決め穴１２２に挿し込んでシャフト３２を押し出し、シャフト３２が回転溝部１２１から脱出することができる。それによれば、鍵受け軸３０を錠ケース１０から取り外して新たな鍵受け軸３０を取り替えることができる。
【００２３】
本考案に係る暗証番号忘れ対応の錠前は、番号忘れ対応部材４０を有することから、ダイヤル軸２０の暗証番号を検出することができる。また、鍵受け軸３０にシャフト３２を備えることから、そのシャフト３２が着脱可能に鍵受け軸３０を固定することができるので、シャフト３２を取り外すと、鍵受け軸３０を取り替えることができる。
【符号の説明】
【００２４】
１０    錠ケース
１０１  第一殻部
１０２  第二殻部
１０３  ピン
１０４  挿設穴
１１    番号軸収容空間
１１１  貫通孔
１１２  凹部
１２    鍵軸収容空間
１２１  回転溝部
１２２  位置決め穴
１３    部材収容空間
１４    プレート
１５    軸穴
１６    掛け穴
１７    スリット
２０    ダイヤル軸
２１    外輪
２２    内輪
２２１  当たり穴
２３    掛け杖
２３１  掛け部
２４    ばね
３０    鍵受け軸
３１    凸部
３２    シャフト
３３    バネ
３４    通過口
４０    番号忘れ対応部材
４１    駆動板
４１１  第一側面
４１２  第二側面
４１３  浅い凹部
４１４  ブロック
４１５  突出部
４２    弾性ユニット
４３    従動板
４３１  弾性爪
４３２  固定穴
５０    道具
【図１】
0003192005.tif 000003
【図２】
0003192005.tif 000004
【図３】
0003192005.tif 000005
【図４】
0003192005.tif 000006
【図５】
0003192005.tif 000007
【図６】
0003192005.tif 000008
【図７】
0003192005.tif 000009
【図８】
0003192005.tif 000010
【図９】
0003192005.tif 000011
【図１０】
0003192005.tif 000012
【図１１】
0003192005.tif 000013
【図１２】
0003192005.tif 000014
【図１３】
0003192005.tif 000015
【図１４】
0003192005.tif 000016
【図１５】
0003192005.tif 000017